(57)【要約】【課題】  種々な補聴器を改造して簡易に作製することができるクロス型補聴器を提供する。【解決手段】  非良聴耳に装用されるRICタイプの耳かけ型補聴器本体２と、この耳かけ型補聴器本体２に収納されたＤＳＰ（補聴処理部）６に一端９ａが第１接続手段７を介して接続されたコード９と、このコード９の他端９ｂが第２接続手段８を介して接続されて良聴耳の外耳道１６内に挿入されるレシーバ４を備えた。【選択図】        図４
2016189565.tif 000002
【特許請求の範囲】
【請求項１】
補聴器本体と、この補聴器本体に収納された補聴処理部に一端を接続したコードと、このコードの他端に接続したレシーバを備えたことを特徴とするクロス型補聴器。
【請求項２】
補聴器本体と、この補聴器本体に収納された補聴処理部に一端が第１接続手段を介して接続されたコードと、このコードの他端が第２接続手段を介して接続されたレシーバを備えたことを特徴とするクロス型補聴器。
【請求項３】
請求項２に記載のクロス型補聴器において、前記第１接続手段は前記コードの一端に設けたプラグと前記補聴器本体に設けたレセプタクルとで構成され、前記第２接続手段は前記コードの他端に設けたレセプタクルと前記レシーバに設けたプラグとで構成されたことを特徴とするクロス型補聴器。
【請求項４】
請求項１乃至請求項３のいずれかに記載のクロス型補聴器において、前記補聴器本体は非良聴耳に装用され、前記レシーバは良聴耳に装用されることを特徴とするクロス型補聴器。
【請求項５】
請求項１乃至請求項４のいずれかに記載のクロス型補聴器において、前記補聴器本体がRICタイプの耳かけ型補聴器本体であることを特徴とするクロス型補聴器。
【請求項６】
請求項２乃至請求項５のいずれかに記載のクロス型補聴器に用いる延長コードであって、コードの両端に接続手段を設けたことを特徴とする延長コード。
【請求項７】
請求項６に記載の延長コードにおいて、前記コードの一端に補聴器本体のレセプタクルに接続するプラグを設け、前記コードの他端にレシーバのプラグに接続するレセプタクルを設けたことを特徴とする延長コード。
【発明の詳細な説明】
【技術分野】
【０００１】
本発明は、一方の聴力は正常であるが、他方の聴力に障害がある一側性難聴者が使用するクロス型補聴器とそれに用いる延長コードに関する。
【背景技術】
【０００２】
一側性難聴者は、非良耳側からの音が頭部の陰影作用により減衰して良耳側に到達するため、非良耳側からの音を良耳側で十分に認識することができない場合がある。そこで、マイクロホンを非良耳側に設置し、マイクロホンで捉えた音を電気コードまたは電波を介して良耳側に設置したレシーバにより非良耳側からの音を聴取するクロス型補聴器が知られている。
【０００３】
例えば、マイクロホンを非良耳側に眼鏡のフレームを介して設置し、マイクロホンに入力された音をフレームに沿ったリード線で良耳側にフレームを介して設置したレシーバに伝達させて聴取する眼鏡式のクロス型補聴器が知られている。
【０００４】
また、非良耳側に装用するマイクロホンを備えた耳かけ型補聴器形状の送信機と、良耳側に装用する受信機を備えた耳かけ型補聴器の２つのユニットを用意し、電波を用いる耳かけ型のクロス型補聴器が知られている。
【０００５】
特許文献１には、良耳側の音声を捉える良耳側マイクと、良耳側マイクの出力に基づいて音声信号を出力する良耳側出力部と、難聴耳側の音声を捉える難聴耳側マイクと、難聴耳側マイクで捉えた音声信号の低域側を減衰させる難聴耳側フィルタを備えた難聴耳側出力部と、良耳側出力部の出力と難聴耳側出力部の出力を混合する混合器を備えてなるクロス型補聴器が開示されている。
【０００６】
更に、非良耳側に装用するマイクロホンを内蔵したカナル型補聴器形状の送信機と、良耳側に装用する受信機を備えた耳あな型補聴器を電気コードで接続した
カナル型のクロス型補聴器が知られている。
【先行技術文献】
【特許文献】
【０００７】
【特許文献１】特開平８−３０７９９７号公報
【発明の概要】
【発明が解決しようとする課題】
【０００８】
しかし、眼鏡式のクロス型補聴器では、眼鏡フレームのつるの部分が太くなり、見栄えが悪いという問題がある。耳かけ型のクロス型補聴器では、両耳に補聴器などのユニットを装用しなければならず、装用者にとって経済的、身体的な負担が大きいという問題がある。また、特許文献１に開示された技術でも、両耳に補聴器などのユニットを装用しなければならず、装用者にとって経済的、身体的な負担が大きいという問題がある。
【０００９】
更に、カナル型のクロス型補聴器では、良耳側に挿入される耳あな型補聴器に良耳側の音を明瞭に聴取するためのベントを設けなければならない。ベントを設けると、ベントを通った音は原音と異なると共に、風切り音などの雑音を増幅してしまうという問題がある。また、音源が非良耳側にあり、騒音が良耳側にある場合には、かえって明瞭度が低下するという問題がある。
【００１０】
本発明は、従来の技術が有するこのような問題点に鑑みてなされたものであり、その目的とするところは、種々な補聴器を改造して簡易に作製することができるクロス型補聴器とそれに用いる延長コードを提供しようとするものである。
【課題を解決するための手段】
【００１１】
上記課題を解決すべく請求項１に係る発明は、補聴器本体と、この補聴器本体に収納された補聴処理部に一端を接続したコードと、このコードの他端に接続したレシーバを備えたものである。
【００１２】
請求項２に係る発明は、補聴器本体と、この補聴器本体に収納された補聴処理部に一端が第１接続手段を介して接続されたコードと、このコードの他端が第２接続手段を介して接続されたレシーバを備えたものである。
【００１３】
前記第１接続手段は前記コードの一端に設けたプラグと前記補聴器本体に設けたレセプタクルとで構成し、前記第２接続手段は前記コードの他端に設けたレセプタクルと前記レシーバに設けたプラグとで構成することができる。
【００１４】
前記補聴器本体は非良聴耳に装用され、前記レシーバは良聴耳に装用される。前記補聴器本体をレシーバが外耳道内に挿入されるRIC（Receiver In the Canal）タイプの耳かけ型補聴器本体とすることができる。
【００１５】
請求項６に係る発明は、クロス型補聴器に用いる延長コードであって、コードの両端に接続手段を設けたものである。また、前記コードの一端に補聴器本体のレセプタクルに接続するプラグを設け、前記コードの他端にレシーバのプラグに接続するレセプタクルを設けることができる。
【発明の効果】
【００１６】
本発明に係るクロス型補聴器によれば、非良聴耳側の音を良聴耳で聴取することが可能になると共に、雑音下における聞き取りが向上する。また、１台の補聴器で構成することができ、装用感も向上させることができる。
【００１７】
補聴器本体とレシーバとの接続を、プラグとレセプタクルなどで構成される接続手段を両端に設けたケーブルを介して接続すれば、補聴器本体とレシーバの組み合わせの種類が豊富になると共に、補聴器本体の交換作業やレシーバの交換作業などを容易に行うことができる。
【００１８】
また、レシーバを補聴器本体内に設置するのではなく、外耳道内に挿入するRICタイプの補聴器であれば、器種を問わず適用することができるため、装用者は聴力特性、好みの機能や価格などを考慮して補聴器を選択することができる。更に、RICタイプの補聴器であれば、レシーバが良聴耳の外耳道を閉塞しないので、良聴耳側の音を明瞭に聴取することができる。
【００１９】
また、本発明に係る延長コードを用いることにより、装用者の頭部の大きさに適したクロス型補聴器を構成することができる。そして、着脱自在な延長コードを用いることにより、補聴器本体とレシーバの組み合わせの種類が豊富になると共に、補聴器本体の交換作業やレシーバの交換作業を容易に行うことができる。
【００２０】
また、コードの一端に補聴器本体のレセプタクルに接続するプラグを設け、コードの他端にレシーバのプラグに接続するレセプタクルを設けて延長コードを構成すれば、補聴器本体側のレセプタクルに延長コードのプラグを差し込み、レシーバ側のプラグを延長コードのレセプタクルに差し込むだけで容易に快適なクロス型補聴器を構成することができる。
【図面の簡単な説明】
【００２１】
【図１】本発明に係るクロス型補聴器の概要外観図
【図２】本発明に係るクロス型補聴器の構成図
【図３】本発明に係るクロス型補聴器の別実施の形態の概要外観図
【図４】本発明に係るクロス型補聴器の別実施の形態の構成図
【図５】レシーバの装用状態を示す説明図
【発明を実施するための形態】
【００２２】
以下に本発明の実施の形態を添付図面に基づいて説明する。本発明に係るクロス型補聴器１は、図１及び図２に示すように、RIC（Receiver In the Canal）タイプの耳かけ型補聴器本体２と、適度な長さのコード３と、レシーバ４などからなる。コード３の一端３ａに耳かけ型補聴器本体２が接続され、コード３の他端３ｂにレシーバ４が接続されている。
【００２３】
耳かけ型補聴器本体２の内部には、マイクロホン５、補聴処理部としてのＤＳＰ（Digital Signal Processor）６や電池（不図示）などの構成部品が収納されている。
【００２４】
耳かけ型補聴器本体２とレシーバ４は、樹脂で被覆されたコード３で機械的に接続されていると共に、ＤＳＰ６とレシーバ４はコード３で電気的に接続されている。コード３は可撓性を有し、所望な形状を形成することができる。
【００２５】
また、耳かけ型補聴器本体２とレシーバ４との接続は、図３及び図４に示すように、第１接続手段７と第２接続手段８を用いて行うことができる。第１接続手段７は、コード９の一端９ａに設けたプラグ１０と、耳かけ型補聴器本体２に設けたレセプタクル１１とで構成される。第２接続手段８は、コード９の他端９ｂに設けたレセプタクル１２と、レシーバ４から延出するコード１３に設けたプラグ１４とで構成される。
【００２６】
コード９と、コード９の一端９ａに設けたプラグ１０と、コード９の他端９ｂに設けたレセプタクル１２とで、耳かけ型補聴器本体２とレシーバ４を接続する延長コード１５が構成される。延長コード１５については、装用者の頭の大きさなどを考慮し、コード９の長さを調整することにより、種々の長さのものを用意することができる。
【００２７】
耳かけ型補聴器本体２は非良聴耳の耳介上部に装着され、コード３，９，１３の可撓性によりレシーバ４は良聴耳の外耳道内に挿入される。図５に示すように、外耳道１０内に挿入されたレシーバ４は、外耳道１６を閉塞することなく、コード３，９，１３の適度な剛性によって所望な姿勢を保持する。
【００２８】
そして、マイクロホン５で採取した非良聴耳側の音は、ＤＳＰ６によって装用者に適した音になるように補聴処理（周波数帯域毎の増幅など）された後に、レシーバ４から良聴耳の外耳道１６内に出力される。装用者は、非良聴耳側の音を良聴耳で聴取することができる。
【００２９】
また、レシーバ４が良聴耳の外耳道１６を閉塞しないので、こもり感が生ぜず、装用感が快適で、且つ良聴耳側の音も明瞭に聴取することができる。更に、耳かけ型補聴器本体２とレシーバ４を、延長コード１５を用いて接続すれば、種々な補聴器を改造して装用者の頭部の大きさに適した快適なクロス型補聴器１を容易に構成することができる
【００３０】
また、延長コード１５を用いれば、耳かけ型補聴器本体２とレシーバ４の組み合わせの種類が豊富になると共に、耳かけ型補聴器本体２の交換作業やレシーバ４の交換作業などを容易に行うことができる。
【産業上の利用可能性】
【００３１】
本発明によれば、RIC（Receiver In the Canal）タイプの耳かけ型補聴器本体を非良聴耳に装着し、延長コードを介して耳かけ型補聴器本体に電気的に接続されたレシーバを良聴耳の外耳道内に挿入することにより、装用感が快適なクロス型補聴器を提供することができる。
【符号の説明】
【００３２】
１…クロス型補聴器、２…耳かけ型補聴器本体、３，９，１３…コード、３ａ，９ａ…一端、３ｂ、９ｂ…他端、４…レシーバ、５…マイクロホン、６…ＤＳＰ（補聴処理部）、７…第１接続手段、８…第２接続手段、１０，１４…プラグ、１１，１２…レセプタクル、１５…延長コード、１６…外耳道。
【図１】
2016189565.tif 000003
【図２】
2016189565.tif 000004
【図３】
2016189565.tif 000005
【図４】
2016189565.tif 000006
【図５】
2016189565.tif 000007